Podtech/llm-jp-corpus-v4-ja_patent huggingface dataset:
(57)【要約】【課題】本考案は疲労した眼の神経を眼鏡型マッサージ器を使用して的確に押圧して眼精疲労を簡単かつ効果的に解消することが出来る眼鏡マッサージ器を提供すること。【解決手段】本考案はソロバン玉、穴あき丸玉、穴あき角玉のいずれかを糸又は釣糸（スジ）又は針金で組合わせた眼鏡型マッサージ器で三叉神経を押圧可能にさせ、中央に通風の良いアイマスクを配置している眼鏡型マッサージ器を使用することにより血行が良くなり視力低下を防いで一段と疲労の回復が増す。【選択図】図１
0003122995.tif 000002
【実用新案登録請求の範囲】
【請求項１】
本考案は、木、ガラス、プラスチック、又は、陶器で出来たソロバン玉、穴あき丸玉、又は、穴あき角玉のいずれかに釣糸（スジ）又は針金を通して組合わせた眼鏡型マッサージ器であって、眼底の三叉神経を押圧可能に、環状に、ソロバン玉、穴あき丸玉、又は、穴あき角玉を配置させ、中央に通風性を有したアイマスクを配置しているものを特徴とした眼鏡型マッサージ器。
【考案の詳細な説明】
【技術分野】
【０００１】  本考案は眼の疲労を解消するための眼鏡型マッサージ器に関するものである。
【背景技術】
【０００２】  従来の眼の疲労を解消する方法としては、目薬を差すとか、あるいは、特許広報２０００−６０９３７にあるような天然石ネクライトで出来たアイマスクを眼部のツボに当てる治療しかない。
【考案の開示】
【考案が解決しようとする課題】
【０００３】  Ａ天然石ネクライトのアイマスクは顔面全体に天然石を配置してあるが、眼の玉を刺激してあまり良くない。
Ｂ疲労には目薬を差すしかない。それは一時的なものである。
【課題を解決するための手段】
【０００４】  本考案はソロバン玉、穴あき丸玉、穴あき角玉のいずれかを糸又は釣糸（スジ）又は針金で組合わせた眼鏡型マッサージ器で三叉神経を押圧可能にさせ、中央に通風の良いアイマスクを配置している眼鏡型マッサージ器を使用することにより血行が良くなり視力低下を防いで一段と疲労の回復が増す。
【考案の効果】
【０００５】  本考案は、眼の玉を傷つけないように眼の縁にソロバン玉、穴あき丸玉、穴あき角玉のいずれかを配置し、中央にアイマスクを配置し、手で上から押圧することにより血行、視力低下を防ぐように考案したもので、速やかに疲労を解消することができる。
【考案を実施するための最良の形態】
【０００６】  本考案はソロバン玉、穴あき丸玉、穴あき角玉のいずれかを糸又は釣糸（スジ）又は針金で眼の廻りとこめかみの位置にソロバン玉、穴あき丸玉、穴あき角玉のいずれかを組合せ構成。マッサージ器が紐又は伸縮自在なバンドで頭に着装させ、眼鏡の内側中央にアイマスクを取り付け眼が速やかに疲労を解消する様に考案した眼鏡型マッサージ器
【実施例１】
【０００７】  以下、添付図面に従って実施例を説明する。
１は、人間の左右の眼の周囲をカバーするように環状にしたものである。
２ａは、環状を成した１に貫通している６に取付けているアイマスク。
２ｂは、アイマスクの背面。
３は、糸６でつながっている伸縮自在なバンド。
４は、マジックテープ（メス）で、３のバンドに固定している。
５は、マジックテープ（オス）で、もう一方の３のバンドに固定している。
６は、つなぎ糸。
【図面の簡単な説明】
【０００８】
【図１】本考案の平面図
【図２】本考案の背面図
【図３】丸玉とアイマスクの固定要領を示した断面図
【符号の説明】
【０００９】    １．丸玉
２ａ．アイマスク
２ｂ．アイマスクの背面
３．伸縮自在なバンド
４．マジックテープ（オス）
５．マジックテープ（メス）
６．つなぎ糸
【図１】
0003122995.tif 000003
【図２】
0003122995.tif 000004
【図３】
0003122995.tif 000005
【手続補正書】
【提出日】平成18年3月23日(2006.3.23)
【手続補正１】
【補正対象書類名】実用新案登録請求の範囲
【補正対象項目名】全文
【補正方法】変更
【補正の内容】
【実用新案登録請求の範囲】
【請求項１】
木、ガラス、プラスチック、又は、陶器で出来たソロバン玉、穴あき丸玉、又は、穴あき角玉のいずれかに釣糸又は針金を通して組合わせた眼鏡型マッサージ器であって、眼底の三叉神経を押圧可能に、環状に、ソロバン玉、穴あき丸玉、又は、穴あき角玉を配置させ、中央に通風性を有したアイマスクを配置しているものを特徴とした眼鏡型マッサージ器。
【手続補正２】
【補正対象書類名】明細書
【補正対象項目名】０００７
【補正方法】変更
【補正の内容】
【０００７】  以下、添付図面に従って実施例を説明する。
１は、人間の左右の眼の周囲をカバーするように環状にしたものである。
２ａは、環状を成した１に貫通している６に取付けているアイマスク。
２ｂは、アイマスクの背面。
３は、糸６でつながっている伸縮自在なバンド。
４は、マジックテープ（メス）（登録商標）で、３のバンドに固定している。
５は、マジックテープ（オス）（登録商標）で、もう一方の３のバンドに固定している。
６は、つなぎ糸。
【手続補正３】
【補正対象書類名】明細書
【補正対象項目名】０００９
【補正方法】変更
【補正の内容】
【０００９】  １．丸玉
２ａ．アイマスク
２ｂ．アイマスクの背面
３．伸縮自在なバンド
４．マジックテープ（オス）（登録商標）
５．マジックテープ（メス）（登録商標）
６．つなぎ糸
【手続補正４】
【補正対象書類名】図面
【補正対象項目名】全図
【補正方法】変更
【補正の内容】
【図１】
0003122995.tif 000006
【図２】
0003122995.tif 000007
【図３】
0003122995.tif 000008
(57)【要約】      （修正有）【課題】痔を治療改善するカプセルを提供する。【解決手段】カプセルの中に内蔵した電池で磁石を温め、カプセルを人間の肛門に挿入し、血流を促進させる。【選択図】図１
0003122992.tif 000002
【実用新案登録請求の範囲】
【請求項１】
カプセルに電池と磁石を内蔵し、磁石を温めて、そのカプセルを肛門に挿入し、痔患部の血流を促進させ、痔を治癒させる。
【考案の詳細な説明】
【技術分野】
【０００１】  本考案は、電池と磁石をカプセルに内蔵したものである。
【考案の開示】
【考案が解決しようとする課題】
【０００２】  痔で悩んでいる人は多く、磁気熱を利用した物で副作用なく痔を改善させる事が出来る。
【課題を解決するための手段】
【０００３】  本考案はカプセルに磁石と電池を内蔵し、磁石を温めるものである。
【考案の効果】
【０００４】  上述の様に本考案の痔治療カプセルは、肛門に挿入し磁気熱により痔の血流を促進させる事が出来る。
【考案を実施するための最良の形態】
【０００５】  磁気熱を発生するカプセルを肛門に挿入させる。
【実施例】
【０００６】  以下、添付図面に従って説明する。１はプラスティックなどで作られたカプセル。２は電池。３は磁石。カプセルは、中央にネジ式になっており電池を交換出来る。
【産業上の利用可能性】
【０００７】  図１の形態であるから肛門に挿入しても、脱落せず一定の位置に定着する事が出来る。
【図面の簡単な説明】
【０００８】
【図１】本考案の電池磁石を内蔵した形態を示す。
【符号の説明】
【０００９】１  カプセル
２  磁石
３  電池
【図１】
0003122992.tif 000003
【図２】
0003122992.tif 000004
【手続補正書】
【提出日】平成18年1月19日(2006.1.19)
【手続補正１】
【補正対象書類名】実用新案登録請求の範囲
【補正対象項目名】全文
【補正方法】変更
【補正の内容】
【実用新案登録請求の範囲】
【請求項１】
カプセルに電池と、ヒーターコイルを内蔵した磁石を内蔵させ、その磁石を温めて、カプセルを肛門に挿入して、患部の血流を促進させる事を特徴とする痔治療カプセル。
【手続補正２】
【補正対象書類名】明細書
【補正対象項目名】０００８
【補正方法】変更
【補正の内容】
【０００８】
【図１】  本考案の電池磁石を内蔵した形態を示す
【図２】  本考案のカプセルを分解した形態を示す
(57)【要約】【課題】玉杓子立具は前記のように広範囲に渡って様々な開発が試みられているが実用化された市販品は少ない。この原因は家庭内台所において玉杓子の収納自体には問題がない事から前記一時使用の取り扱いにおける最も大きな課題は玉杓子立具製品そのものの置き場所が狭いことや邪魔になる問題点が存在している。このため本考案ではこれまでの不便を根本的に解消するための玉杓子立具の構造的省力化を図って使用後も簡単に片付けるよう安全面を考慮すると共に衛生的に使用できる設計とする。【解決手段】玉杓子立具は陶磁器形状に沿って一方内壁側に係止部を設け玉杓子、杓文字を保持する。また陶磁器中心２ヶ所縁部に窪みを設け箸が不安定にならず窪みに収まる。【選択図】    図１
0003122914.tif 000002
【実用新案登録請求の範囲】
【請求項１】
陶磁器製の椀状に形成された立具本体と、この立具本体の口縁内周の一部でしかも内側に突き出した一体形成の張出部とで成し、玉杓子の掬い部を本体の底部に置いた状態にて掬い部の上周縁が前記張出部の下側に引っ掛けて玉杓子を立て掛けるようにしたことを特徴とした玉杓子立具。
【請求項２】
立具本体の口縁の対向位置に箸置用の凹を形成したことを特徴とした請求項１記載の立具本体。
【考案の詳細な説明】
【技術分野】
【０００１】
本考案は一般家庭用、玉杓子、杓文字、箸保持装置に関して一時的に玉杓子、杓文字、箸を安定させるための保持具に関する。
【背景技術】
【０００２】
一般家庭における玉杓子、杓文字、箸は普段台所の引き出しや調理器具ラック等に収納されているが食事中に随時使用される場合その一時置き場所を捜す等の不便を伴う事がある。このため玉杓子を鍋の中に差し入れたままの状態であったり在り合わせの小皿や椀等に玉杓子の掬い部をあてがい保持用具として代用したりしている。しかし玉杓子を鍋の中に入れたままでは鍋と鍋蓋に隙間が生じて料理の熱が逃げやすく蓋が不安定になる等の不具合がある。また小皿や椀等の保持用具としての代用も玉杓子を立てて保持する事が出来ない為汁がこぼれやすく玉杓子を横たえた状態では置き場所が狭く複数回の取り上げに使い勝手が円滑ではない等の欠点がある。玉杓子の従来例としては下記特許文献がある。（イ）玉杓子掬い部にフックを取り付けてある（ロ）収納と立て掛け部で構成されてある（ハ）食器縁部に載置バランスを図る補助的な係止部を設けた例がある。（イ）玉杓子と鍋が接合するため着脱の際鍋を引き倒す恐れがある（ロ）玉杓子の柄部を立て掛けるための装置が必要である（ハ）使用前後の着脱の際食器を選ばなければならない。
【考案の開示】
【考案が解決しようとする課題】
【０００３】
玉杓子立具は前記のように広範囲に渡って様々な開発が試みられているが実用化された市販品は少ない。この原因は家庭内台所において玉杓子の収納自体には問題はないが前記一時使用の取り扱いにおける最も大きな課題は玉杓子立具製品そのものの置き場所が狭いことや邪魔になる問題点が存在している。このため本考案ではこれまでの不便を根本的に解消するため玉杓子立具の構造上の省力化を図って使用後も簡単に片付ける事が出来るように安全面を考慮すると共に衛生的に使用できる設計とする。
【課題を解決するための手段】
【０００４】
以上の課題を解決するために本考案玉杓子立具は陶磁器形状に沿って一方内壁側に係止部を設け玉杓子、杓文字を保持する。また陶磁器中心２ヶ所に窪みを設け箸が不安定にならず窪みに収まる。
【考案の効果】
【０００５】
請求項１により陶磁器によるもので重量があるため危険性もなくバランスよく適応し玉杓子、杓文字が陶磁器内の張出部に掛かり安定して載置され複数回の使用と同時に簡単に保持できる。陶磁器内側に突き出し部を設け、また陶磁器の形状に沿って自然体の窪みをつけたことで箸を立てて保持することなく横に設置が出来る事で引っ掛けて転倒する危険性もなく安全面も考慮したものである。
【考案を実施するための最良の形態】
【０００６】
以下本考案の実施の形態を示す図面に基づいて説明する。
【実施例】
【０００７】
図１に示す如く立具本体１は陶磁器製として椀状に形成されている。この立具本体１の口縁１aの内周の一部には張出部２を一体的に突き出している。この張出部２aの下側に２aに図２に示す如く玉杓子３aの掬い部４が引っ掛る。
【０００８】
次に図３に示す如く立具本体１の口縁１の対方向位置に箸５を置く凹部６を載置している。
【図面の簡単な説明】
【０００９】
【図１】玉杓子立具の斜視図
【図２】同上の使用状態図
【図３】異なる使用状態図
【符号の説明】
【００１０】
１  立具本体
２  張出部
３  玉杓子
４  掬い部
５  箸
６  凹部
【図１】
0003122914.tif 000003
【図２】
0003122914.tif 000004
【図３】
0003122914.tif 000005
(57)【要約】【課題】抗気流干渉組立て式散熱片を提供する。【解決手段】主に数枚の散熱片、数枚の隔離板、少なくとも２本のリベットにより組成する。該散熱片上端には間隔を開け数枚のフィンが突出し、末端は錐状を呈し、送り込まれる風はスムーズに導入され下降し、迅速に吸熱を排出する効果を達成する。該片体の該片体下端の側面には定位孔を開設し、隣接する散熱片は間隔を開けて挿入、設置する。該隔離板上には対応する固定孔を開設し、該リベットにより順番に一体に固定し、錐状薄型間隔板により間隔距離を開け、空間散熱表面積を倍増させる。これにより気流はスムーズに周辺の気体を帯同し、下降し熱を排出する効果を達成し、こうして効果的かつ迅速にチップ冷却を達成する。【選択図】図１
0003122918.tif 000002
【実用新案登録請求の範囲】
【請求項１】
主に数枚の散熱片、数枚の隔離板、少なくとも２本のリベットにより組成し、
該散熱片上端には間隔を開け数枚のフィンが突出し、末端は錐状を呈し、該片体の該片体下端の側面には定位孔を開設し、
該隔離板は該散熱片下端に対応する板体で、該板体の側面には該定位孔に対応する固定孔を開設し、隣接する散熱片は間隔を開けて挿入、設置し、さらに該リベットにより順番に一体に固定し、
該各散熱片のフィン末端の錐状部により気流は周辺の気体を帯同し、下降し熱を排出する効果を達成し、こうして効果的かつ迅速にチップ冷却を達成することを特徴とする抗気流干渉組立て式散熱片。
【考案の詳細な説明】
【技術分野】
【０００１】
本考案は一種の抗気流干渉組立て式散熱片に関する。
【背景技術】
【０００２】
電子、IT製品はビジネス界にとってなくてはならない存在になっているが、そればかりか市民生活にも広く普及している。
一般の電子製品(LEDディスプレーパネル)は電気抵抗、コンデンサー、ダイオード、チップ、インターフェースカード、プロセッサーユニットなどの基本パーツにより構成され、CPUにより作動を制御され、さらに各チップにそれぞれ管理演算を割り振る。このため、日に日に複雑化するソフトウエアの演算により、CPUとチップは他のパーツに比べ極めて大量の熱を発生するが、これら熱を排出できなければ、その製品寿命に悪影響を及ぼすだけでなく、CPU、チップそのもの、さらには周辺パーツが焼けてしまう可能性もある。
公知の散熱パーツはすべてアルミプレスにより成型され、熱を吸着、排出するものであるが、図５に示すように、この種のアルミ製品の上端では、進入して来る風は流れを妨げられ、冷たい空気を散熱片の底端までスムーズに届けることができない。このため、下方には高温の空気がたまり発散しない現象が生じてしまう。
さらにアルミ材は一定の厚みを具えるため、冷気流は上方部分の表面積の熱を持ち去ることができるだけで、大部分の熱はアルミ材内部に滞留するため、散熱効果は芳しくなく、既に現行の高効率CPUの散熱ニーズを満たすことはできなくなっており、冷却製品業界は新たな製品開発にしのぎを削っている。
【考案の開示】
【考案が解決しようとする課題】
【０００３】
本考案の主な目的は、抗気流干渉組立て式散熱片を提供し、散熱片、数枚の隔離板、少なくとも２本のリベットにより組成し、該薄型間隔板は間隔距離を開け空間散熱表面積を倍増させる。
【０００４】
本考案のさらに一つの目的は、抗気流干渉組立て式散熱片を提供し、該散熱片上端には間隔を開けフィンが突出し、該フィンの末端は錐状を呈し、送り込まれる風はスムーズに導入され下降し、迅速に吸熱を排出する効果を達成する。
【０００５】
本考案のもう一つの目的は、抗気流干渉組立て式散熱片を提供し、該散熱片下端側面には定位孔を開設し、隣接する散熱片と組立て、隔離板の間隔は任意の大きさの空間に組成可能である。
【課題を解決するための手段】
【０００６】
請求項１の考案は、主に数枚の散熱片、数枚の隔離板、少なくとも２本のリベットにより組成し、
該散熱片上端には間隔を開け数枚のフィンが突出し、末端は錐状を呈し、該片体の該片体下端の側面には定位孔を開設し、
該隔離板は該散熱片下端に対応する板体で、該板体の側面には該定位孔に対応する固定孔を開設し、隣接する散熱片は間隔を開けて挿入、設置し、さらに該リベットにより順番に一体に固定し、
該各散熱片のフィン末端の錐状部により気流は周辺の気体を帯同し、下降し熱を排出する効果を達成し、こうして効果的かつ迅速にチップ冷却を達成することを特徴とする抗気流干渉組立て式散熱片としている。
【考案の効果】
【０００７】
本考案は薄型間隔板により間隔距離を開け空間散熱表面積を倍増させることができ、また散熱片上端に間隔を開け突出し、末端が錐状を呈するフィンにより送り込まれる風はスムーズに導入され下降し、迅速に吸熱を排出する効果を達成する。さらに本考案の隔離板の間隔は任意の空間に組成可能で、非常に便利である。
【考案を実施するための最良の形態】
【０００８】
図１〜４に示すように、本考案抗気流干渉組立て式散熱片は数枚の散熱片１、数枚の隔離板２、２本のリベット３により組成する。
【０００９】
該散熱片１は超導熱材質の薄片を用いプレス成型し、該片体の上端には間隔を開け数枚のフィン１１が突出し、末端は錐状を呈する。該片体下端の側面には定位孔１２を開設する。
【００１０】
該隔離板２は該散熱片１同様に超導熱材質で、該散熱片１下端に対応する板体である。該板体の側面には該定位孔１２に対応する固定孔２１を開設し、隣接する散熱片を間隔に挿入、設置し、さらに該リベット３により順番に一体に固定する。
【００１１】
本考案を一般のチップに応用する場合には、直接チップ表面に付着し、各高超導熱散熱材質の散熱片が空間分布することにより、周辺の気体は迅速に吸熱され、チップ冷却の散熱効果を達成する。
【００１２】
別に高いエネルギーを発するCPUに用いる場合には、散熱片上方のファンAが気流を送入し、該気流は該フィン１１の末端の錐状部に沿って下降し熱を排出する効果を達成する。こうして周辺気体の吸熱を倍増させ、迅速な冷却効果を達成する。
【図面の簡単な説明】
【００１３】
【図１】本考案の最適実施例図である。
【図２】本考案の部品分解図である。
【図３】本考案の部品組成図である。
【図４】本考案の別種の実施例図である。
【図５】公知のアルミプレス型構造が気流干渉を生じて熱を収集する様子の表示図である。
【符号の説明】
【００１４】
１  散熱片
１１  フィン
１２  定位孔
２  隔離板
２１  固定孔
３  リベット
A  ファン 
【図１】
0003122918.tif 000003
【図２】
0003122918.tif 000004
【図３】
0003122918.tif 000005
【図４】
0003122918.tif 000006
【図５】
0003122918.tif 000007
(57)【要約】      （修正有）【課題】演奏者がこの矯正器具を装着して練習することにより手、指、手首を理想的な形になり、装着しなくてもその理想的な形を保持できることを体得できる。【解決手段】本考案は合成樹脂、木等の硬質材料にて形成され、バンドをつけることによって装着される手首当部と、この手首当部と一体的に形成され、且つ広い面積の掌当部とで成している。【選択図】図１
0003122913.tif 000002
【実用新案登録請求の範囲】
【請求項１】
合成樹脂、木等の硬質材料にて形成され、且つバンドを装備する事によって装着される手首当部と、この手首当部と一体的に形成され、且つ広い面積の掌当部とで成したことを特徴としたピアノ練習用手先矯正器具。
【考案の詳細な説明】
【技術分野】
【０００１】
この考案は、ピアノ初心者、又は矯正を目的とする者がピアノを弾くときの適切な手首の保持、手の形、指の動かし方を、着用しながら習得する矯正具に関する。
【背景技術】
【０００２】
従来、ピアノ初歩レッスンにおいて、「音符の読譜」と共に「ピアノ演奏における正しい手首の保持、手の形、指の動かし方」が重要であるが、音符を読みながらの演奏時の手首、手、指への注意力は初心者ほど散漫になり困難を要するものである。教師がその都度、注意を促したり手本を示して教えてきた。そこで、この種の矯正器具として下記特許文献が存在する。しかし、この矯正器具は装着に要する工程が複雑で幼児などには不向きと思われる。
【特許文献１】実開平7−10752
【考案の開示】
【考案が解決しようとする課題】
【０００３】
ピアノ初心者は、ピアノ演奏に適切な手の形や指の動かし方、手首の保持などを頭で理解できても習得するのは困難である。譜面を読む作業が入ると手先への注意が散漫となる。上記のような問題点を解決し、演奏者がこの矯正器具を装着して練習することにより、
手、指、手首を理想的な形になり、装着しなくてもその理想的な形を保持できることを体得できることを目的としている。
【課題を解決するための手段】
【０００４】
上記目的を達成するため、本考案は、合成樹脂、木等の硬質材料にて形成され、バンドをつけることによって装着される手首当部と、この手首当部と一体的に形成され、且つ広い面積の掌当部とで成し、それを特徴としている。
【考案の効果】
【０００５】
本考案は以上のようで、装着の際は、バンドに挿し込んだ当部の棒状部分が手首に沿うようにする。そして、当部の先端部分が掌にマッチするように装着して演奏すると当部が支えのとなり手首が下がることはなくなる。また、掌当部が無理なく理想的な手の形に導き、演奏者が矯正具を装着するだけでピアノ演奏のための手や指、手首の適切な形が無理なく矯正でき、且つそれを維持しつつ指の適切な動かし方の練習もできる効果を発揮するものである。
【考案を実施するための最良の形態】
【０００６】
以下本考案の実施の形態を示す図面に基づき説明する。
【実施例】
【０００７】
図１に示す如く、矯正器具を掌に装着した状態を示し、器具本体１は、合成樹脂、木等の硬質材料にて形成されている。而してこの器具本体は、手首当部２とこの手首当部２と一体的に形成され、且つ広い面積の掌当部３により成している。
【０００８】
この掌当部３を掌Hに沿わせ３と共に、その手首当部２を手首に沿わせ、且つバンド２を装備することによって装着している。
【図面の簡単な説明】
【０００９】
【図１】矯正器具の使用状態図
【図２】同上の用例からの使用状態図
【符号の説明】
【００１０】
1  器具本体
2  掌当部
3  バンド
【図１】
0003122913.tif 000003
【図２】
0003122913.tif 000004
(57)【要約】【課題】本考案は既製のアルミサッシを加工することなく、成型アクリル板をその内側に取付けてサッシの二重化とその断熱化対策を簡単かつ経済的に行うことができるようにする。【解決手段】本考案では、先ずＡ型アクリルアルミサッシの場合、成型したアクリル板１ａを既製のアルミサッシ２ａの内側にサッシフレーム固定用のビス７ａを利用して、アクリル板取付け金具５ａでアクリル板１ａを固定、このアクリル板１ａをガラス取付けゴムシール３ａに密着させることによってサッシガラス６ａとの間に密閉された空間を作りだし、二重アルミサッシとしての断熱性を確保する。さらに、サッシ戸締り鍵用の穴４ａを設けることで、サッシの防犯機能を損なうことなく、室内の冷暖房効果を高めることができる。また、Ｂ型アクリルアルミサッシはＢ型サッシ留め金具５ｂと鍵取付け用のＢ型ビス７ｂとによってアクリル板をサッシフレームに固定できるようにしたものである。【選択図】図１
0003122922.tif 000002
【実用新案登録請求の範囲】
【請求項１】
アルミサッシの内側に成型アクリル板を取付けるだけで断熱効果が得られるようにした簡易型断熱アルミサッシ。
【考案の詳細な説明】
【技術分野】
【０００１】
本考案は、アルミサッシの内側に成型アクリル板を取付けた断熱アルミサッシの二重化に関するものである。
【背景技術】
【０００２】
アルミサッシの断熱化対策にはペアガラスの使用、アルミサッシの二重化等の方法があるが、いずれの場合も全面的な改修工事を伴うことになるので、その費用負担は大きなものとなる。
【考案の開示】
【考案が解決しようとする課題】
【０００３】
既製のアルミサッシを加工することなく、成型アクリル板を内側から簡単に取付けられるようにして、サッシの二重化をより簡便で経済的負担の少ないものとする。
【課題を解決するための手段】
【０００４】
本考案は、既製のアルミサッシにおいてガラスを固定しているフレームとゴムシール面に内側から成型アクリル板を密着させてガラスとアクリル板との間に密閉された空間を作りだし、その空気の持つ断熱性を利用して室内の冷暖房効果を高めるものである。そこで、課題となるのがそのアクリル板を既製のアルミサッシにどのように固定させるかと言うことであるが、本考案ではサッシの種類に応じ、二通りの方法で取付けを可能にした。先ず一つは既製のアルミサッシに取付けられているフレーム固定用のビスで、アクリル板保持用の金具を取付け、成型アクリル板をサッシに固定できるようにした。もう一つは、小窓付きアルミサッシの鍵取付けビスを利用してアクリル板をサッシフレームに直接取付けられるようにした。
【考案の効果】
【０００５】
上述のように、本考案の簡易型断熱二重アクリルアルミサッシは、アクリル板を既製のアルミサッシに合わせて成型しておけば、装着が容易で低廉かつ簡単にアルミサッシの断熱化対策ができるので、冷暖房効果の改善とともにその経費の削減が可能となる。
【考案を実施するための最良の形態】
【０００６】
アクリル板の成型はアルミサッシフレームのゴムシール面に密着するようサッシの形状、鍵位置等に合わせてアクリル板を成型加工する。アクリル板をサッシフレームに取付け金具または、ビスで固定させた後、アクリル板とサッシフレームの周囲を透明ビニールテープで接着させることにより、空気層の機密性はさらに高まることから、断熱効果は一層改善されることになる。
【実施例１】
【０００７】
以下、添付図面に従って一実施例を説明する。図１および図２は小窓なし（以下「Ａ型」と言う。）簡易型断熱二重アクリルアルミサッシを室内側から見た正面図とその断面図で、１ａはサッシの形状に合わせて成型加工したＡ型アクリル板であり、２ａはアクリル板を支えるＡ型アルミサッシフレームである。３ａは６ａのＡ型サッシガラスをサッシフレームに装着させるためのＡ型ゴムシールで、４ａはアクリル板に穴あけ加工したサッシ戸締り用の鍵穴である。５ａはアクリル板をサッシフレームに取付けるためのＡ型サッシ留め金具で、サッシフレームを固定する７ａのＡ型ビスによって締め付け、固定することができる。
【０００８】
図３および図４は小窓付き（以下「Ｂ型」と言う。）簡易型断熱二重アクリルアルミサッシを室内側から見た正面図とその断面図で、Ａ型アクリルアルミサッシがフレーム固定用のビスとアクリル板保持用の金具とによって、アクリル板をサッシに固定しているのに対し、このＢ型アクリルアルミサッシはＢ型サッシ留め金具５ｂと鍵取付け用のＢ型ビス７ｂとによってアクリル板をサッシフレームに直接固定できるようにしたものである。Ａ型、Ｂ型を問わずいずれのアクリル板においても、その成型は熱伸びを考慮してサッシフレームより1mm程度短めに加工されている。
【図面の簡単な説明】
【０００９】
【図１】本考案の簡易型断熱二重アクリルアルミサッシ（Ａ型）の一実施例を示す正面図である。
【図２】本断熱サッシ（Ａ型）の断面図である。
【００１０】
【図３】本考案の簡易型断熱二重アクリルアルミサッシ（Ｂ型）の一実施例を示す正面図である。
【図４】本断熱サッシ（Ｂ型）の断面図である。
【符号の説明】
【００１１】
１ａ   Ａ型アクリル板
２ａ   Ａ型アルミサッシフレーム
３ａ   Ａ型ゴムシール
４ａ   Ａ型サッシ鍵穴
５ａ   Ａ型サッシ留め金具
６ａ   Ａ型ガラス
７ａ   Ａ型ビス
【００１２】
１ｂ   Ｂ型アクリル板
２ｂ   Ｂ型アルミサッシ枠
３ｂ   Ｂ型ゴムシール
５ｂ   Ｂ型サッシ留め金具
６ｂ   Ｂ型ガラス
７ｂ   Ｂ型ビス
【図１】
0003122922.tif 000003
【図２】
0003122922.tif 000004
【図３】
0003122922.tif 000005
【図４】
0003122922.tif 000006
(57)【要約】【課題】釣り針に装着した際に外れない錘を提供する。【解決手段】本考案釣り用錘は粉末金属を含んだ軟質素材で形成され、中心軸に釣り針を通す為の穴を有する。【選択図】図３
0003122651.tif 000002
【実用新案登録請求の範囲】
【請求項１】
粉末金属を含む軟質素材で形成され、中心軸に釣り針を通す穴を設けたことを特徴とする錘。
【考案の詳細な説明】
【技術分野】
【０００１】  本考案は、釣り用の錘に関するものである。
【背景技術】
【０００２】  従来の錘は鉛で形成され、錘３のような形状をしており、釣り針２にはさむだけだった。その為何度もキャスティングを繰り返すうちに錘が釣り針から外れた。また、小さい錘の場合、割れ目が小さくなるので、太軸の釣り針にはさめなかった。
【考案の開示】
【考案が解決しようとする課題】
【０００３】  解決しようとする問題点は、何度もキャスティングを繰り返すうちに錘が釣り針からはなれる点と、小さい錘を太軸の釣り針に装着出来ない点である。
【課題を解決するための手段】
【０００４】  上記目的を達成するために、本考案の釣り用錘は、粉末金属を含んだ軟質素材で形成され、中心軸に釣り針を通す穴を有する事を特徴とする。本考案釣り用錘を釣り針に装着することによりしっかり固定出来る。【０００５】  図１において錘の外形は円錐形となっているが、円形、楕円形、円錐形、四角形やその他多角形でもよい。
【考案の効果】
【０００６】  以上で説明したように本考案釣り用錘は、中心軸に穴を設けており、軟質素材で形成されているので釣り針にしっかりと固定できる。
【考案を実施するための最良の形態】
【０００７】  本考案に係る釣り用錘１は図２、図３に示すように中心軸に穴があいた形状をしている。その穴に釣り針２を通したものが図４である。穴の直径より大きい直径の釣り針を通すことにより、軟質素材で形成されることと相まって釣り針にしっかりと固定できる。
【図面の簡単な説明】
【０００８】
【図１】本考案釣り用錘の正面図
【図２】本考案釣り用錘の上面図
【図３】本考案釣り用錘の断面図
【図４】本考案釣り用錘の装着例
【図５】従来の釣り用錘の装着例を示した断面図
【図６】従来の釣り用錘の装着例を示した正面図
【符号の説明】
【０００９】      １    錘
２    釣り針
３    従来の錘
【図１】
0003122651.tif 000003
【図２】
0003122651.tif 000004
【図３】
0003122651.tif 000005
【図４】
0003122651.tif 000006
【図５】
0003122651.tif 000007
【図６】
0003122651.tif 000008
(57)【要約】【課題】  プラスチック製のペットボトル、アルミニウム製の空き缶、又、紙製の缶等は、使用後圧縮するのが困難である。それ向けの器具等はあるが、手間がかかり非常に面倒である。本考案は、これに蛇腹状の形状を持たすことにより、簡単に圧縮できるものを提供する。【解決手段】  上部から下部の胴部に、数個又は２０個位の凹凸を設ける。凸部は先端が多少丸くなっている。これを胴部全体に横方向に平行して多数設ける。こうすると、缶の中味を使用した後に、手で、縦方向に力を加えると、簡単に缶・ペットボトル等は圧縮し、縮小でき、その後の処理も簡単に行える。【選択図】図１
0003122660.tif 000002
【実用新案登録請求の範囲】
【請求項１】
容器の肩口から底迄の胴に、横方向に多数の連続した凹凸を設け、蛇腹状とし、使用後、手で圧縮、縮小可能な容器。
【考案の詳細な説明】
【技術分野】
【０００１】  本考案は、プラスチック製のペットボトル、又は、アルミニウム製、紙等の容器に関する。
【背景技術】
【０００２】  現在、ペットボトルは使用後の処理に困っている。容易にはつぶれない。又、アルミ缶も容易にはつぶれない。又、洗剤等の紙製箱等も容易にはつぶれない。つぶし機もあるが、非常に面倒な作業となる。
【特許文献１】  特許文献も殆んど無いと思われる。
【非特許文献１】  各社のパンフレット等を見たが殆んどないと思われる。
【考案の開示】
【考案が解決しようとする課題】
【０００３】  本考案は、容器の肩口より底まで、蛇腹状に凹凸を入れ、使用後容易に圧縮できる容器を提供する。
【課題を解決するための手段】
【０００４】  本考案は、容器の肩口から底までの胴に、横方向に多数の連続した凹凸を設け、蛇腹状とし、使用後、手で圧縮、縮小可能な容器に関する。
【考案の効果】
【０００５】  使用後、容器は手で圧縮できる。ペットボトルは、手で圧縮すると、広がらないで、小さく圧縮できる。
アルミ缶は手で圧縮し、そのまま廃棄、リサイクルできる。紙箱も縮小できる。
【考案を実施するための最良の形態】
【０００６】  容器１にキャップ２が上部につく。容器の肩口３より、蛇腹状に、先端が多少丸い凹部４と凸部５を横方向に多数、底６までつける。図面では、２０個の凸部を示してある。凸部５と凹部４が連続的に底までつく。全部容器は、手で圧縮可能な硬さとする。
【産業上の利用可能性】
【０００７】  本考案は日用品とも言えるアルミ缶、プラスチック缶等の空き缶を簡単に手で圧縮できるので、広く産業界で用いられると思う。
【図面の簡単な説明】
【０００８】
【図１】  本考案の正面図である。
【図２】  平面図である。
【図３】  側面図である。
【符号の説明】
１  容器
２  キャップ
３  容器の肩口
４  凹部
５  凸部
６  底
【図１】
0003122660.tif 000003
【図２】
0003122660.tif 000004
【図３】
0003122660.tif 000005
(57)【要約】【課題】  従来の展示装置では、相互に関連する写真と文字数字データと記念品の三点セットを、一つの展示装置に集約して、同時に観覧することができなかった。【解決手段】  写真と文字数字データを印刷した記念プレートの台座部に、透明な窓付きの、記念品収納展示部を設けた。これにより、例えば新生児の顔写真や手足型と、姓名、生年月日時間、身長体重等の文字数字データと、臍の緒や産毛等の記念物品を、ひとつの展示装置に集約し、一望のもとに観覧できるようにした。また貴重な記念物品を紛失や破損の危険から保護する効果もある。【選択図】図１
0003122656.tif 000002
【実用新案登録請求の範囲】
【請求項１】
写真と、これに係るデータを印刷した記念プレートの台座部に、透明な窓付きの、記念物品の収納展示部を設けた、記念品展示装置。
【考案の詳細な説明】
【技術分野】
【０００１】  本考案は、写真とその諸データ及び記念物品の展示装置に関する。
【背景技術】
【０００２】  従来、記念品の展示方法において、記念物品は収納展示装置に納めて展示し、写真は写真立てに挟んだり額縁に入れたりして、また文字や数字のデータは印字してパネルにしたりと、展示方法がまちまちであった。
【考案の開示】
【考案が解決しようとする課題】
【０００３】  しかし、これでは、相互に関連する、写真と文字数字データと記念物品の三点セット、例えば新生児の顔写真と、姓名、生年月日等の文字数字データ、臍の緒や産毛などの出産記念物品の三点セットを、ひとつの展示装置に集約して、同時に観覧することができなかった。
【課題を解決するための手段】
【０００４】  そこで、写真と文字数字データを印刷した記念プレートの台座部に、透明な窓付きの、記念物品の収納展示部を設けた。
【考案の効果】
【０００５】  これにより、例えば選抜高校野球における、甲子園での記念写真と試合のデータ、及び甲子園の土。また各種の宗教の聖地巡礼における、記念写真と巡礼記録、及び聖品や聖水。さらに出産における新生児の顔写真や手足型と、姓名、生年月日時間、身長体重等のデータ、及び臍の緒のように、分かち難く相互に関連する、写真と文字数字データと記念物品の三点セットを、ひとつの展示装置に集約して展示し、一望のもとに観覧できるようにした。さらにまた、記念物品を窓付きの収納展示部に収納することにより、貴重な記念物品を紛失や破損の危険から保護する効果もある。
【実施例】
【０００６】  本考案に係る、記念品収納展示部を持つ記念プレートは、図１に示すように、写真と文字数字データを印刷した、記念プレート１の台座部２に、透明な窓３を持つ記念品収納展示部４を設けた。
【図面の簡単な説明】
【０００７】
【図１】  本考案の斜視図である。
【符号の説明】
【０００８】  １  記念プレート
２  台座部
３  透明な窓
４  記念品収納展示部
５  記念品
【図１】
0003122656.tif 000003
(57)【要約】【課題】  プラスチック製やアルミニウム製又は紙製の製品は、使用後圧縮するのが非常に難しい。容易には出来ず、器具を用いることもあるが、器具を購入し、一々思い切りの力を出さないと出来ない。本考案は、これを簡単に行うことの出来るよう容器に初めからしておくものである。【解決手段】  容器をアコーデオンのような、蛇腹で形成し、多数の凹凸を縦方向に多数設ける。使用後は、横方向に手で力を加え、簡単に圧縮できる。この様にして、中味を使い終った後、空になった容器を簡単に圧縮でき、その後の処理が極めて簡単となる。【選択図】図１
0003122659.tif 000002
【実用新案登録請求の範囲】
【請求項１】
多数の凹凸を胴部縦方向に、且つ上面と底面に多数設け、蛇腹状とした、使用後、手で圧縮、縮小可能な容器。
【考案の詳細な説明】
【技術分野】
【０００１】  本考案は、プラスチック製又はアルミニウム製、紙等の容器に関する。
【背景技術】
【０００２】  従来より容器は、使用後容易に圧縮できず、後処理が大変であった。
【特許文献１】  特許文献でもこれに類するものは殆んどないと思われる。
【非特許文献１】  各社のパンフレットを見たが、殆んどないと思われる。
【考案の開示】
【考案が解決しようとする課題】
【０００３】  本考案は、使用後容易に手で圧縮できる容器を提供する。
【課題を解決するための手段】
【０００４】  本考案は、多数の凹凸を胴部縦方向に、且つ上面と底面に多数設け、蛇腹状とした、使用後圧縮、縮小可能な容器に関する。
【考案の効果】
【０００５】  使用後に、容器は手で圧縮できる。プラスチック製のものは、そのまま手で圧縮できる。アルミニウム製や紙製箱のものも、そのまま横方向に圧縮できる。
容器が簡単に使用後圧縮できることにより、使用後の廃棄、リサイクルにも、扱いが簡便となる。
【考案を実施するための最良の形態】
【０００６】  容器１をアコーディオンのような蛇腹で形成し、縦方向に多数の凹部２と凸部３を持つ胴部を作る。図面では、７個の凹部２と、８個の先端の多少丸い凸部３を持つ。凹部と凸部は、上面と底面にもつく。
凹部２と凸部３は、鋭角で、連続的に平置される。図中４は、キャップを示し、平面から見ると、本容器は略四方形をなす。
使用後は、手で横方向に力を加えると容易に圧縮できる。
尚、数字５は、胴部の辺部を示す。
【図面の簡単な説明】
【０００７】
【図１】  本考案の正面図である。
【図２】  平面図である。
【図３】  側面図である。
【符号の説明】
【０００８】１  容器
２  凹部
３  凸部
４  キャップ
５  辺部
【図１】
0003122659.tif 000003
【図２】
0003122659.tif 000004
【図３】
0003122659.tif 000005
(57)【要約】【課題】１次利用の暖房器具の放出熱を２次利用して、水から湯への生産を専らにしている湯沸かし器の燃料消費を削減して、冬季寒冷地での生活経費の削減を促進する。【解決手段】直状金属製中空管をＵ字状に形成して集積面を多くした集熱管を形成、集熱管を管形状支持金具の管内径で遊挿して管形状支持金具を等間隔多孔金属プレートに取り付け、等間隔多孔金属プレートを架台に固設して暖房器の吹き出す温熱風吹き出し口に対向すると暖房器の吹き出された温熱風で集熱管が熱せられて集熱管内径の水が湯に転化でき暖房器の放出熱が２次利用可能になる。【選択図】図１
0003122652.tif 000002
【実用新案登録請求の範囲】
【請求項１】
架台に等間隔多孔金属プレートを固設し、当該等間隔多孔金属プレートに管形状支持金具を備え、当該管形状支持金具の管内径が直状金属製中空管をＵ字状に曲成して当該Ｕ字状曲成終止から直線状に形成して両至端が曲成した集熱管を遊挿した温熱風吹き付け湯沸かし器の集熱管。
【考案の詳細な説明】
【技術分野】
【０００１】  本考案は、床置き型暖房器具の温熱風吹き出し口から吹き出る温熱風を集熱管に吹き付けて集熱管内を流動する水を湯に転化生産する湯沸かし器の集熱管に関する。
【背景技術】
【０００２】  現在は、ガスの燃焼と電気の発熱と化石燃料の燃焼を熱源とした湯沸かし器が広く市場に存在している。
【考案の開示】
【考案が解決しようとする課題】
【０００３】  床置き型の暖房器が吹き出す、部屋の暖房だけを目的にした１次利用の熱を２次利用して効率よく集熱管が熱源を捕らえ、水から湯への転化に要する費用を節約できる湯沸かし器の集熱管を提供することを目的としている。
【課題を解決するための手段】
【０００４】  直状金属製中空管をＵ字状曲成した金属製中空管集積面（集熱管）が等間隔多孔金属プレートに備えた管形状支持金具の取り付けを暖房器の温熱風吹き出し口の高さに合わせて微調整することて、暖房器の温熱風吹き出し口への対向調整が容易になり暖房器が吹き出す温熱風を効率よく捕らえることができる。
【考案の効果】
【０００５】  本考案は以上に記したように、直状金属製中空管をＵ字状に曲成し集積面（集熱管）を形成して等間隔多孔金属プレートを利用することで効率よい温熱風吹き出し口と対向でき、暖房器が吹き出す温熱風を再利用して水を湯に変えることができるので部屋の暖房を専らにしていた燃料の消費を２次利用することで、炊事と家事に利用する温水の生産を専らに活動していた湯沸かし器の温水生産費用を削減できる。
【考案を実施するための最良の形態】
【０００６】  安定のよい架台に等間隔に空いた穴を備えた等間隔多孔金属プレートを固設して、当該等間隔多孔金属プレートの穴に管形状支持金具を取り付け、管形状支持金具の管内径に直状金属製中空管をＵ字状に曲成した集熱管を遊挿して、暖房器の温熱風吹き出し口と集熱管の対向を温熱風が当たる効率のよい位置に調整して設置することで水から湯への転化が効率よく行われる。
【実施例】
【０００７】  添付図面に従い実施例を説明する。１は直状金属製中空管を曲成した集熱管を２の管を短くした管形状支持金具の管内径に遊挿して、その管形状支持金具２を３の等間隔多孔金属プレートに設けた５の穴に暖房器の温熱風吹き出し口の高さに合わせて調整して備え、２の管形状支持金具を備えた３の等間隔多孔金属プレートを安定の良い架台４に固設。
【図面の簡単な説明】
【０００８】
【図１】  温熱風吹き付け湯沸かし器の集熱管の斜視図。
【符号の説明】
【０００９】１  集熱管
２  管形状支持金具
３  等間隔多孔金属プレート
４  架台
５  穴
【図１】
0003122652.tif 000003
(57)【要約】【課題】  スカーフをベルトに使用する際の、安定感の弱い点を解消。【解決手段】  スカーフを通す穴の設けられた、強い丈夫な帯状の土台ベルト１１にスカーフを通すことにより強化され、この課題を解決する。【選択図】図１
0003122657.tif 000002
【実用新案登録請求の範囲】
【請求項１】
生地を通す数個の穴と、その穴に交互にスカーフを通すことにより、スカーフの色彩や質感を活かしつつ、より安定・強化させる土台となるベルト
【考案の詳細な説明】
【技術分野】
【０００１】  本思考は、胴をしめるベルトにスカーフを使用する為の土台ベルトに関する。
【背景技術】
【０００２】  従来のスカーフは柔らかい素材を使用しており、頭にかぶったり首に巻くものとされていた。
【考案の開示】
【考案が解決しようとする課題】
【０００３】  しかし、これでは用途が少ない為、ベルトとして利用される場合もあるが、柔らかい素材なのでベルトとしての強さや安定感に欠ける。
【課題を解決するための手段】
【０００４】  そこでスカーフを通す穴の空いた帯状の土台となるベルトを考案した。
この土台ベルトに通す事により、スカーフが安定・強化されるため、スカーフをベルトとして利用可能となる。
【考案の効果】
【０００５】  よって、本考案のスカーフ土台ベルトにより、スカーフをベルトとして使用する際に、安定感が増し強化されるため、ベルトとしての利用が可能になる。また、土台ベルトからスカーフを取り外せるのでスカーフが洗濯可能な上、様々な種類のスカーフや生地を通してベルトとして活かす事が出来る。
【考案を実施するための最良の形態】
【０００６】  本考案に関わる土台ベルト１１は、図１に示すようにスカーフＡを通す穴（例１〜６）を備えている。素材は横方向には曲がるが縦方向には曲がりにくい素材が望ましく、穴はスカーフが通り安定される大きさにする。
【図面の簡単な説明】
【０００７】
【図１】  スカーフを通していない状態の、本考案の土台ベルトである。
【図２】  本考案に関わる土台ベルトに、スカーフを通した断面図である。
【図３】  本考案に関わる土台ベルトに、スカーフを通した正面図である。
【符号の説明】
【０００８】  １〜６    スカーフを通す穴
１１      土台ベルト
Ａ        スカーフ（生地）
【図１】
0003122657.tif 000003
【図２】
0003122657.tif 000004
【図３】
0003122657.tif 000005
(57)【要約】      （修正有）【課題】臍の緒を記念品として展示するにふさわしいものとした最も貴重な出産記念品の提供。【解決手段】出産直後の臍の緒の切片を、防腐保存液を満たした透明容器に密封するか、透明樹脂中に封入して標本化し、出産直後の臍の緒が持つ、綺麗な白色を保つようにした。さらに、一部または全体が透明な保管容器を、この標本化した臍の緒を展示する出産記念品と組み合わせ、これを内部に収納して安全に保管しつつ、保管容器の外から中の臍の緒が見えるようにした。【選択図】図２
0003122655.tif 000002
【実用新案登録請求の範囲】
【請求項１】
新生児の出産直後にその臍の緒の切片を、防腐保存液を満たした透明容器の中に密封するか、または透明樹脂に封入して、標本化した臍の緒を展示する出産記念品。
【請求項２】
請求項１の出産記念品を、一部または全体が透明な保管容器に収納して、臍の緒の標本を保管容器の外から見える展示状態で保管できるようにした、標本化した臍の緒を展示する出産記念品。
【考案の詳細な説明】
【技術分野】
【０００１】  本考案は、新生児の出産に際しての、出産記念品に関する。
【背景技術】
【０００２】  従来、産婦人科では、出産に際しての記念品として、臍の緒を桐箱に納めて渡し、他に写真立てや手足型等雑多な記念品を、新生児の両親に贈る習慣が一般的であった。
【考案の開示】
【考案が解決しようとする課題】
【０００３】  しかし、これでは、出産直後は純白をしている臍の緒が、干からびて茶色の干物のようになって見栄えが悪く、出産の事実を証明する記念品とはなっても、出産という体験の生物学的な生々しさを伝える記念品として展示するにふさわしいものではなかった。
【課題を解決するための手段】
【０００４】  この課題を解決するための請求項１での考案においては、出産直後の臍の緒の切片を、防腐保存液を満たした透明容器の中に密封するか、透明樹脂に封入して標本化した。【０００５】  また請求項２の考案は、請求項１の標本化した臍の緒を展示する出産記念品を、一部または全体が透明な保管容器に収納することにより、請求項１の出産記念品を、内部が見える展示状態のままで保管できるようにした。
【考案の効果】
【０００６】  よって、請求項１の本考案の出産記念品においては、標本化によって出産時の臍の緒の綺麗な白色を保つことにより、出産記念品として展示するにふさわしい商品にした。【０００７】  請求項２の考案においては、請求項１の出産記念品を、保管容器中に安全に保管しつつ、内部の臍の緒が、保管容器の外から見えるようにした。これにより保管容器が、その内部に収納する請求項１の出産記念品との組み合わせにより、標本化した臍の緒を展示する出産記念品となる。
【実施例】
【０００８】  請求項１の本考案に係る、臍の緒を展示する出産記念品１０は、図１に示すように、出産直後の臍の緒の切片１を、防腐保存液２を満たした透明容器３に密封するか、または透明樹脂中に封入したものである。【０００９】  請求項２の本考案においては、請求項１の出産記念品１０を、一部または全体が透明な保管容器２０の中に収納して、臍の緒の切片１が保管容器２０の外から見えるようにした。
【図面の簡単な説明】
【００１０】
【図１】  本考案の斜視図である。
【図２】  請求項２の本考案の斜視図である。
【符号の説明】
【００１１】  １  標本化した臍の緒の切片
２  防腐保存液
３  透明容器
４  キャップ
５  透明な窓
１０  標本化した臍の緒を展示する出産記念品
２０  一部または全体が透明な保管容器
【図１】
0003122655.tif 000003
【図２】
0003122655.tif 000004
(57)【要約】      （修正有）【課題】穴などを掘る、土を砕くのには先端は尖った剣先を保ち平地平板上の土や資材を扱うには平板型の側端を適用できるようにする。【解決手段】剣先型スコップの左右どちらかの側端を図１のように直線に整えて穴堀りにも平坦、平板上の資材扱いの両方に活用できるようにした。【選択図】図１
0003122618.tif 000002
【実用新案登録請求の範囲】
【請求項１】
剣先型スコップの左右どちらかの側面を直線にして平面状の作業面の仕事にも対応でき  なおかつ  穴を掘ったり  土を突いたりする能力も失わない。剣先型と平型と両方の機能を併せ持つスコップ
【考案の詳細な説明】
【考案の開示】
【考案が解決しようとする課題】
【０００１】  穴を掘ったり土塊を崩したりするのには先端が剣先型になったスコップを使うが、平地や平板状の上の土や砂等の物質を扱うときには適さない。その時は平型のスコップを使う必要があるがこれは穴を掘るなどの作業はできない。  必ず二種類のスコップが用意されなければならなかった。
【課題を解決するための手段】
【０００２】剣先型スコップの左右どちらかの側端を斜めに直線状にする。
【考案の効果】
【０００３】先端はより鋭角に尖った部分２になり穴などをより掘りやすくなる。他方直線状の部分３は平板、平地での土の取り寄せなどの作業に適する。一本のスコップがあればすべての作業にかなうことができる
【図面の簡単な説明】
【０００４】
【図１】一端が斜め直線状になった剣先型スコップ
【図２】剣先型スコップ
【図３】平型スコップ
【符号の説明】
【０００５】  １  スコップ本体
２  先端部分
３  直線の側端部分
【図１】
0003122618.tif 000003
【図２】
0003122618.tif 000004
【図３】
0003122618.tif 000005
【手続補正書】
【提出日】平成18年3月13日(2006.3.13)
【手続補正１】
【補正対象書類名】実用新案登録請求の範囲
【補正対象項目名】全文
【補正方法】変更
【補正の内容】
【実用新案登録請求の範囲】
【請求項１】
剣先型スコップの左右どちらかの側面を直線にして平面状の作業面の仕事にも対応でき  なおかつ、穴を掘ったり土を突いたりする能力も失わない剣先型と平型と両方の機能を併せ持つスコップ